(57)【要約】【課題】低価格且つ装置を大型化することなく自動外観検査の信頼性を向上させる外観検査装置を提供する。【解決手段】略円柱状の検査対象物の外観検査を行う外観検査装置１であって、検査エリア内において前記検査対象物を回転させながら移動させる回転移動手段３０と、前記検査エリア内を回転しながら移動する同一の前記検査対象物を異なるタイミングで複数回撮像する撮像手段４０と、前記撮像手段４０が複数回撮像した複数の撮像情報の中から前記検査対象物に対して異なる方向から撮像した複数の外観情報を抽出する外観情報抽出手段１１ａと、前記外観情報抽出手段１１ａが抽出した複数の外観情報と予め定められた判定情報との比較結果に基づいて前記検査対象物の外観状態が良品であるか否かを判定する良品判定手段１１ｂと、を有することを特徴とする。【選択図】図１
2008122080.tif 000002
【特許請求の範囲】
【請求項１】
略円柱状の検査対象物の外観検査を行う外観検査装置であって、
検査エリア内において前記検査対象物を回転させながら移動させる回転移動手段と、
前記検査エリア内を回転しながら移動する同一の前記検査対象物を異なるタイミングで複数回撮像する撮像手段と、
前記撮像手段が複数回撮像した複数の撮像情報の中から前記検査対象物に対して異なる方向から撮像した複数の外観情報を抽出する外観情報抽出手段と、
前記外観情報抽出手段が抽出した複数の外観情報と予め定められた判定情報との比較結果に基づいて前記検査対象物の外観状態が良品であるか否かを判定する良品判定手段と、
を有することを特徴とする外観検査装置。
【請求項２】
前記回転移動手段は、前記検査エリアに対応する表面における光の反射率が低くなるように形成されていることを特徴とする請求項１に記載の外観検査装置。
【請求項３】
検査前の前記検査対象物を複数収容する収容する収容手段を有し、
前記回転移動手段は、前記収容手段が収容している検査対象物を間欠的に前記検査エリア内を回転させながら移動させる手段であることを特徴とする請求項１又は２に記載の外観検査装置。
【請求項４】
略円柱状の検査対象物を撮像手段で撮像して外観検査を行う外観検査方法であって、
検査エリア内で前記検査対象物を回転させながら移動させる過程と、
前記検査エリア内を回転移動している同一の検査対象物を撮像手段で異なるタイミングで複数回撮像する過程と、
前記撮像手段が撮像した撮像情報の中から前記検査対象物に対して異なる複数の方向から撮像した複数の外周面情報を抽出する過程と、
前記抽出した複数の外周面情報と予め定められた判定情報との比較結果に基づいて前記検査対象物の外観状態が良品であるか否かを判定する過程と、
を有することを特徴とする外観検査方法。
【発明の詳細な説明】
【技術分野】
【０００１】
本発明は、略円柱状の検査対象物の外観検査を行う外観検査装置及び外観検査方法に関するものである。
【背景技術】
【０００２】
ゴム防水栓やゴムブッシュ等の豆粒状の検査対象物の外観検査を行う場合、従来は目視によって外観状態を検査していた。しかしながら、その検査対象物がくびれ形状等の複雑な形状であったり、外観の不良箇所が極めて小さい場合、目視による外観状態を判断するのは困難であった。そのため、人手による外観検査の場合、人的な官能能力や作業環境などに左右されやすく、検査の信頼性を保証するには至らなかった。また、検査対象物の数量が多い場合、長時間連続して人間が検査し続けることは非常に困難であり、検査効率を向上させるのが困難であり且つ不良品を見逃して流出してしまう可能性があった。
【０００３】
また、顧客のニーズに応じるために、板に正常な検査対象物が嵌め込まれる溝を形成した溝板検査治具を用いて外観検査が行われてきたが、多くの工数を費やして対処しなければならないという問題があった。さらには、ショート・ショット、バリ、二度打ち等の検査対象物の不良状態によっては、溝板検査治具ではその不良状態を正確に検出することができないという問題があった。
【０００４】
このように人的な外観検査では、品質の要求ニーズには応じられないことから、自動的に外観検査を行う装置が提案されてきた。特許文献１に示す外観検査装置は、外観検査を自動で行い、低廉なコストで信頼性の高い外観検査を行うために、検査対象物であるゴム栓を整列させ、そのゴム栓の姿勢を維持したまま検査位置に搬送し、検査位置でゴム栓を撮像した画像データに基づいて成型の良否を判定するようにしてきた。
【特許文献１】特開２００３−３４４２９７号公報
【発明の開示】
【発明が解決しようとする課題】
【０００５】
しかしながら、上述した特許文献１に示す従来の外観検査装置は、同一のゴム栓から複数の像を得るために、ゴム栓の死角部分の像を撮像手段に導くミラーを設けていたことから、撮像手段とミラーをセットで配置するスペースが必要であり、装置が大型化してしまうという問題があった。
【０００６】
また、外観検査の信頼性を保証するには、ゴム栓を複数の方向から撮像する必要があるが、これを実現しようとすると、従来の外観検査装置のように複数の検査方向に応じて複数の撮像手段を配置しなければならず、外観検査装置が高価なものになってしまうという問題があった。しかしながら、ユーザからは外観検査の信頼性保証して欲しいと要望されており、早急に対応する必要があった。
【０００７】
よって本発明は、上述した問題点に鑑み、低価格且つ装置を大型化することなく自動外観検査の信頼性を向上させる外観検査装置及び外観検査方法を提供することを課題としている。
【課題を解決するための手段】
【０００８】
上記課題を解決するため本発明によりなされた請求項１記載の外観検査装置は、図１の基本構成図に示すように、略円柱状の検査対象物の外観検査を行う外観検査装置１であって、検査エリア内において前記検査対象物を回転させながら移動させる回転移動手段３０と、前記検査エリア内を回転しながら移動する同一の前記検査対象物を異なるタイミングで複数回撮像する撮像手段４０と、前記撮像手段４０が複数回撮像した複数の撮像情報の中から前記検査対象物に対して異なる方向から撮像した複数の外観情報を抽出する外観情報抽出手段１１ａと、前記外観情報抽出手段１１ａが抽出した複数の外観情報と予め定められた判定情報との比較結果に基づいて前記検査対象物の外観状態が良品であるか否かを判定する良品判定手段１１ｂと、を有することを特徴とする。
【０００９】
上記請求項１に記載した本発明の外観検査装置１によれば、回転移動手段３０によって検査対象物が検査エリア内を回転しながら移動すると、撮像手段４０によって異なるタイミングで同一の検査対象物が複数回撮像される。そして、その撮像した複数の撮像情報の中から検査対象物に対して異なる方向から撮像した複数の外観情報が外観情報抽出手段１１ａによって抽出され、それらの外観情報と判定情報との比較結果に基づいて検査対象物の外観状態が良品であるか否かが良品判定手段１１ｂによって判定される。
【００１０】
請求項２記載の発明は、図１の基本構成図に示すように、請求項１に記載の外観検査装置１において、前記回転移動手段３０は、前記検査エリアに対応する表面における光の反射率が低くなるように形成されていることを特徴とする。
【００１１】
上記請求項２に記載した本発明の外観検査装置１によれば、回転移動手段３０の表面部分の反射率は低いため、検査エリアが外部からの光の影響を受けることを防止できる。
【００１２】
請求項３記載の発明は、図１の基本構成図に示すように、請求項１に記載の外観検査装置１において、検査前の前記検査対象物を複数収容する収容する収容手段２０を有し、前記回転移動手段３０は、前記収容手段２０が収容している検査対象物を間欠的に前記検査エリア内を回転させながら移動させる手段であることを特徴とする。
【００１３】
上記請求項３に記載した本発明の外観検査装置１によれば、収容手段２０に収容している複数の検査対象物は、回転移動手段３０によって間欠的に検査エリアを回転しながら移動する。
【００１４】
上記課題を解決するため本発明によりなされた請求項４記載の外観検査方法は、略円柱状の検査対象物を撮像手段４０で撮像して外観検査を行う外観検査方法であって、検査エリア内で前記検査対象物を回転させながら移動させる過程と、前記検査エリア内を回転移動している同一の検査対象物を撮像手段４０で異なるタイミングで複数回撮像する過程と、前記撮像手段４０が撮像した撮像情報の中から前記検査対象物に対して異なる複数の方向から撮像した複数の外周面情報を抽出する過程と、前記抽出した複数の外周面情報と予め定められた判定情報との比較結果に基づいて前記検査対象物の外観状態が良品であるか否かを判定する過程と、を有することを特徴とする。
【００１５】
上記請求項４に記載した本発明の外観検査方法によれば、検査対象物は検査エリア内を回転しながら移動すると、その検査対象物は撮像手段４０によって異なるタイミングで複数回撮像される。そして、その撮像した複数の撮像情報の中から検査対象物に対して異なる方向から撮像した複数の外観情報を抽出し、それらの外観情報と判定情報との比較結果に基づいて検査対象物の外観状態が良品であるか否かを判定する。
【発明の効果】
【００１６】
以上説明したように請求項１，４に記載した本発明によれば、検査対象物が検査エリア内を回転しながら移動するように回転移動手段を設け、その回転移動している検査対象物を異なるタイミングで複数回撮像するようにしたことから、それらの撮像情報の中から検査対象物に対して異なる方向から撮像した複数の外観情報を抽出することができる。そして、それらの外観情報と判定情報との比較結果に基づいて検査対象物が良品であるか否かを判定するので、外観検査の信頼性を向上させることができる。従って、１台の撮像手段のみで任意の角度における外観情報を取得することができるため、コストアップ及び装置の大型化を防止でき且つ自動外観検査の信頼性を向上させることができる。即ち、検査対象物の出荷検査のみで品質の保証ができるため、前段階での検査を省略でき且つ検査滞留在庫を無くすことができる。そして、検査対象物の成型機側での製品取り出しによる作り込み不良を検出することもできる。
【００１７】
請求項２に記載の発明によれば、請求項１に記載の発明の効果に加え、回転移動手段の検査エリアに対応する表面における光の反射率が低くなるように形成したことから、検査エリアが外光、照明光等の影響を受けることが防止できるため、高画質の撮像情報に基づいて外観検査を行うができる。従って、自動外観検査の信頼性をより一層向上させることができる。
【００１８】
請求項３に記載の発明によれば、請求項１又は２に記載の発明の効果に加え、収容している複数の検査対象物を間歇的に検査エリア内を回転させながら移動させるようにしたことから、撮像手段によって撮像した撮像情報の中から正確に外観情報を抽出することができるため、外観検査の信頼性をより一層向上させることができる。
【発明を実施するための最良の形態】
【００１９】
以下、本発明に係る外観検査装置で検査対象物であるゴム栓の外観検査を行う場合の一実施の形態を、図２〜図８の図面を参照して以下に説明する。
【００２０】
図２乃至図４において、外観検査装置１は、例えば、工場の製造工程、検査工程等に設けられ、略円柱状の検査対象物であるゴム栓２の外観検査を自動で行う装置となっている。そして、外観検査装置１は、制御部１０と、収容部２０と、搬送部３０と、撮像部４０と、進入検出部５０と、吸引部６０と、表示部７０と、照明部８０と、回収部９０と、を有している。
【００２１】
制御部１０は、予め定めたプログラムに従って各種の処理や制御などを行う中央演算処理装置（ＣＰＵ）１１、ＣＰＵ１１のためのプログラム等を格納した読み出し専用のメモリであるＲＯＭ１２、各種のデータを格納するとともにＣＰＵ１１の処理作業に必要なエリアを有する読み出し書き込み自在のメモリであるＲＡＭ１３等を有して構成している。
【００２２】
ＲＯＭ１２には、請求項中の各種手段として外観情報抽出手段、良品判定手段等の各種手段としてＣＰＵ１１を機能させるための各種プログラムと、ゴム栓の外観状態の良否を判定するための判定情報と、を記憶している。例えば、判定情報としては、ゴム栓２に対して予め定められた計測箇所における比較対象となるパターンデータ、判定用の閾値データ、判定用の画像データ等の各種データを有している。
【００２３】
制御部１０には、記憶部１４、操作部１５等が接続されている。記憶部１４は、ＥＥＰＲＯＭ、ハードディスク装置等の各種記憶媒体が用いられ、例えば、不良品と判定した際の撮像情報や判定結果情報、検査対象物に対応した判別情報等が記憶される。操作部１５は、複数の操作スイッチ、キー等を有し、利用者の操作に応じた信号を制御部１０に出力する。
【００２４】
収容部２０は、投入用ホッパー２１と振動モータ２２とエアシリンダ２３とを有している。投入ホッパー２１は、漏斗状の装置であり、複数のゴム栓２を一時貯留し、ＣＰＵ１１からの要求等に応じて下部の供給口２１ａを開いてゴム栓２を搬送部３０に供給する。振動モータ２２は、ＣＰＵ１１の制御によってゴム栓２の閉塞防止用に投入用ホッパー２１を振動させる。エアシリンダ２３は、圧縮空気により作動するピストンシリンダであり、ＣＰＵ１１からの要求等に応じて、所定の間隔でゴム栓２を振動している投入ホッパー２１から供給するように駆動される。
【００２５】
搬送部３０は、図５に示すように、撮像部４０が撮像可能な検査エリアＥ内においてゴム栓２を回転させながら移動させる回転移動手段に相当している。搬送部３０は、図３，４に示すようにゴム栓２の搬送方向Ｍに沿って並設される一対のスクリュー部材３１と、該一対のスクリュー部材３１を回動させる回動機構３２と、を有している。
【００２６】
スクリュー部材３１は、図６に示すように、棒状に形成された軸芯３１ａと、該軸芯３１ａの外周上に形成されるスクリュー部３１ｂと、を有している。軸芯３１ａは、金属部材等によって形成されており、その両端が回動自在にハウジングによって軸支され、回動機構３２によって回動される。
【００２７】
スクリュー部３１ｂは、検査エリアＥに設けられる第１スクリュー３１ｃと、該第１スクリュー３１ｃに連なる第２スクリュー３１ｄと、該第２スクリュー３１ｄに連なる第３スクリュー３１ｅと、を有している。第１スクリュー３１ｃは、その表面における光の反射率が低くなるように、合成樹脂等で略螺旋状に形成されており、それらの溝の溝間隔Ｈはほぼ均一となっている。なお、第１スクリュー３１ｃは、金属部材で形成してその表面に反射率を低下させる塗料等を施すなど種々異なる実施形態とすることができる。
【００２８】
第１スクリュー３１ｃは、図６に示すように長さＬ１の場合、その中央に位置する端部３１ｃ１から長さＬ２が進入検出部５０のセンサー中心となり、そして、端部３１ｃからの長さＬ３（Ｌ３＜Ｌ２＜Ｌ１）が撮像部４０の撮像中心となるように組み付けられる。
【００２９】
第１スクリュー３１ｃは、一対のスクリュー部材３１が並設されると、図５に示すように溝間隔Ｈは約半分だけずれた状態で位置付けられる。そして、一対のスクリュー部材３１の間に形成される搬送溝３１ｆにゴム栓２がセットされ、一対のスクリュー部材３１が同一の回動方向Ｒに回動されることで、ゴム栓２は回転されることになる。そして、第１スクリュー３１ｃは、螺旋状になっているため、ゴム栓２は搬送方向Ｍに向かって回転しながら移動することになる。なお、搬送溝３１ｆは、搬送するゴム栓２が落下しないように設計されている。
【００３０】
第２スクリュー３１ｄは、合成樹脂等で略螺旋状に形成されており、それらの溝は第１スクリュー３１ｃの溝間隔Ｈよりも狭くなるように形成されている。即ち、溝間隔Ｈを狭くすることで、第１スクリュー３１ｃよりも第２スクリュー３１ｄの部分のゴム栓２の搬送速度が遅くなっており、その速度でゴム栓２を第１スクリュー３１ｃに搬送する。
【００３１】
第３スクリュー３１ｅは、収容部２０からゴム栓２が供給され、第１スクリュー３１ｃとほぼ同一の形状に金属部材によって形成されている。なお、第３スクリュー３１ｅについても合成樹脂で形成するようにしても差し支えない。よって、第３スクリュー３１ｅは、第１スクリュー３１ｃとほぼ同一の搬送速度でゴム栓２を第２スクリュー３１ｄに搬送する。
【００３２】
このようにスクリュー部３１ｂを構成することで、第３スクリュー３１ｅによって収容部２０からゴム栓２が第２スクリュー３１ｄに搬送されると、第２スクリュー３１ｄの搬送速度は第３スクリュー３１ｅよりも遅いため、ゴム栓２が連続的に収容部２０から供給されると、第２スクリュー３１ｄから第３スクリュー３１ｅに亘ってゴム栓２が溜まることになる。その結果、第１スクリュー３１ｃには、第２スクリュー３１ｄの搬送速度に対応した所定の間隔でゴム栓２が搬送されてくるため、第１スクリュー３１ｃは所定の間隔を確保した状態で、ゴム栓２を回転させながら検査エリアＥ内を搬送することになる。
【００３３】
回動機構３２は、モータ３２ａと、第１ギア３２ｂと、一対の第２ギア３２ｃと、伝達部材３２ｄと、を有している。モータ３２ａは、ＤＣモータ等が用いられ、ＣＰＵ１１の制御によって駆動されて出力軸３２ａ１を回動させる。第１ギア３２ｂは、出力軸３２ａ１の先端に固着され、出力軸３２ａ１とともに回動する。一対の第２ギア３２ｃは、スクリュー部材３１の軸芯３１ａの各々に固着されている。伝達部材３２ｄは、第１ギア３２ｂと一対の第２ギア３２ｃの各々の外周に係合されており、第１ギア３２ｂの回動量を一対の第２ギア３２ｃに伝達して各第２ギア３２ｃを回動させる。これにより、一対のスクリュー部材３１が同一の回動方向Ｒに回動される。
【００３４】
撮像部４０は、ＣＣＤ（Charge Coupled Device）カメラであり、ＣＰＵ１１に接続されている。撮像部４０は、ＣＰＵ１１の制御によって搬送部３０の検査エリアＥ内に進入したゴム栓２を異なるタイミングで複数回撮像し、その撮像した撮像情報をＣＰＵ１１に出力する。なお、撮像部４０は、デジタルカメラ、ビデオカメラ等の各種カメラを用いることができる。
【００３５】
進入検出部５０は、赤外線センサ等を用いており、検査エリアＥに進入したゴム栓２を検出すると、検出信号をＣＰＵ１１に出力する。そして、ＣＰＵ１１は、検出信号の入力に応じて撮像開始を撮像部４０に要求する。なお、進入検出部５０としては、超音波センサーなどの他のセンサーを用いても差し支えない。
【００３６】
吸引部６０は、エアー吸引方式の吸引装置（図示せず）と、該吸引装置に接続される吸引ホース６１と、を有している。吸引装置は制御部１０からの制御によって駆動されると、その吸引力によってノズル６０ａを介して搬送部３０から良品と判定されたゴム栓２のみを吸引する。そして、ゴム栓２は、その吸引力によって吸引ホース６１内を通って良品回収容器６２に回収される。
【００３７】
即ち、吸引部６０は、前記良品判定手段が良品と判定した前記検査対象物を前記回転移動手段から回収する良品回収手段となっている。このように吸引部６０は、良品判定時のみ駆動させることで、停電や故障時でも不良品の混入を防止することができる。また、吸引部５０によって不良品と判定されたゴム栓２を吸引する実施形態とすることもできる。
【００３８】
表示部７０は、液晶ディスプレー、ＬＣＤ等の各種表示装置が用いられ、制御部１０の制御によって撮像部４０が撮像したゴム栓２の撮像情報（外観情報）、検査結果等を表示する。
【００３９】
照明部８０は、ＬＥＤ等の各種照明装置が用いられ、制御部１０の制御によって検査エリアＥ等の照明を行う。なお、本最良の形態において照明部８０は、回転しながら移動するゴム線２の上下方向から照明する撮像部４０の周囲（搬送部３０の上方）と、搬送部３０の下方に設けられている。
【００４０】
回収部９０は、漏斗状に形成されており、搬送部３０の搬送経路（例えば、スクリュー部３１ｂ）に亘って設けられている。そして、搬送部３０から落下したゴム栓２を筒口９０ａから回収ボックス９１に送出する。そして、回収ボックス９１に回収されたこぼれたゴム栓２は、収容部２０に再投入される。
【００４１】
次に、上述したＣＰＵ１１が実行する外観検査処理の一例を、図７に示すフローチャートを参照して以下に説明する。
【００４２】
ステップＳ１１において、操作部１５からの入力信号に基づいて、利用者から検査開始の要求があったか否かが判定される。要求がなかったと判定された場合（Ｓ１１でＮ）、この判定処理を繰り返すことで、検査開始の要求を待つ。一方、要求があったと判定された場合（Ｓ１１でＹ）、ステップＳ１２に進む。
【００４３】
ステップＳ１２において、搬送部３０のモータ３２ａの駆動開始を要求する駆動要求が図示しないモータ３２ａのドライバに出力されることで、モータ３２ａが駆動されて搬送部３０の一対のスクリュー部材３１が回動した状態となり、その後、収容部２０の振動モータ２２とエアシリンダ２３を制御する収容部制御モジュールが起動されとともに、照明部８０の照明が開始されることで検査エリアＥが照明され、ステップＳ１３に進む。そして、この収容部制御モジュールによって、投入ホッパー２１が振動した状態が維持され、エアシリンダ２３を間欠的に動作させることで、投入ホッパー２１から搬送部３０にゴム栓２を供給させる。
【００４４】
ステップＳ１３において、進入検出部５０からの検出信号の有無に基づいて、検査エリアＥ内にゴム栓２が進入したか否かが判定される。進入していないと判定された場合（Ｓ１３でＮ）、ステップＳ２２に進む。一方、進入したと判定された場合（Ｓ１３でＹ）、ステップＳ１４に進む。
【００４５】
ステップＳ１４において、ゴム栓２の撮像を要求する撮像要求が撮像部４０に出力されることで、撮像部４０は異なるタイミングで複数回（例えば２回など）撮像し、その各画像を撮像情報としてＣＰＵ１１に出力することから、ステップＳ１５において、その撮像情報が取り込まれて記憶部１４に記憶され、その後ステップＳ１６に進む。
【００４６】
なお、異なるタイミングとは、ゴム栓２の回転速度と計測条件等に基づいて予め定められた間隔となっている。例えば、ゴム栓２の回転速度が１６５０ｒｐｍの場合、１ｍｓでゴム栓２は角度が１０度移動することになる。その結果、撮像部４０は、異なる方向からゴム栓２を撮像することになるため、そのタイミング調整することで、ゴム栓２に対する撮像回数を変更することができる。また、計測条件としては、撮像（測定）回数等が揚げられる。
【００４７】
ステップＳ１６において、記憶部１４に記憶した各撮像情報の中から画像処理等によりゴム栓２が検出され、その部分を示す画像データ等が図８に示す外観情報として抽出され、ＲＡＭ１３等に記憶され、その後ステップＳ１７に進む。なお、外観情報としては、撮像情報をそのまま、又は、ゴム栓２の部分をマーキングして用いるなど種々異なる実施形態とすることができる。
【００４８】
ステップＳ１７において、良品判定処理が実行されることで、図８に示す外観情報Ｄの中から予め定められた複数の判定ポイントＰに対応した画像等のパターンが抽出され、それらの相関値データと予め定められた各判定ポイントＰに対応する判定用データとが比較され、該比較結果に基づいてゴム栓２の外観状態が良品であるか否かが判定される。例えば、ＮＧ判定基準としては、複数の判定ポイントＰの中で１箇所でも相関値が９０％以下となればＮＧ判定とする。そして、その判定結果を示す判定結果情報が生成されてＲＡＭ１３等に記憶され、その後ステップＳ１８に進む。なお、良品判定方法については、画像認識で形状を推測して判定するなど種々異なる実施形態とすることができる。
【００４９】
ステップＳ１８において、ＲＡＭ１３等の判定結果情報に基づいて、撮像したゴム栓２が良品であるか否かが判定される。良品であると判定された場合（Ｓ１８でＹ）、ステップＳ１９において、吸引部６０に吸引を要求する吸引要求が出力されることで、吸引部６０は良品と判定されたゴム栓２を吸引し、吸引ホース６１を介して良品回収容器６２に良品が回収され、その後ステップＳ２０に進む。
【００５０】
ステップＳ２０において、判定結果情報に基づいて合格の検査結果を表示部７０に表示するための結果画面情報がＲＡＭ１３等に生成されて記憶され、その結果画面情報は表示部７０に出力されることで、表示部７０には合格を示す結果画面情報が表示され、その後ステップＳ２２に進む。なお、結果画面情報としては、撮像したゴム栓２の画像と判定結果等を表示する構成となっている。また、本最良の形態では、結果画面情報を表示する場合について説明するが、通知が不要な場合はこのステップ２０を削除することもできる。
【００５１】
ステップＳ１８で良品ではないと判定された場合（Ｓ１８でＮ）、ステップＳ２１において、判定結果情報に基づいて不合格の検査結果を表示部７０に表示するための結果画面情報がＲＡＭ１３等に生成されて記憶され、その結果画面情報は表示部７０に出力されることで、表示部７０には不合格を示す結果画面情報が表示され、その後ステップＳ２２に進む。なお、結果画面情報としては、ＮＧと判定した判定ポイントＰを示す画像と判定結果等を表示する構成となっている。
【００５２】
ステップＳ２２において、終了要求を受けたか否かが判定される。終了要求を受けていないと判定された場合（Ｓ２２でＮ）、ステップＳ１３に戻り、一連の処理が繰り返されることで、搬送部３０から搬送されるゴム栓２を所定の間隔で自動検査することになる。一方、終了要求を受けていると判定された場合（Ｓ２２でＹ）、ステップＳ２３において、搬送部３０のモータ３２ａの駆動停止を要求する停止要求が図示しないモータ３２ａのドライバに出力されることで、一対のスクリュー部材３１の回動が停止され、照明部８０の照明が消灯され、その後処理を終了する。
【００５３】
次に、上述した構成の外観検査装置１で図８に示す形状のゴム栓２の外観検査を行う場合の動作（作用）の一例を、以下に説明する。
【００５４】
検査対象物である複数のゴム栓２が製造されると、それらは収容部２０の投入用ホッパー２１に収容される。そして、利用者が操作部１５を操作して検査開始が要求されると、外観検査装置１は搬送部３０の一対のスクリュー部材３１を回動すると共に、収容部２０からゴム栓２を搬送部３０に供給する。その結果、ゴム栓２は搬送部２の搬送溝３１ｆを搬送方向Ｍに向かって回転しながら搬送される。
【００５５】
外観検査装置１は、その搬送しているゴム栓２が検査エリアＥに進入したことを検出すると、検査エリアＥを回転しながら移動している同一のゴム栓２を異なるタイミングで複数回（例えば２回）撮像部４０で撮像する。そして、その撮像した各撮像情報の中から図８に示す外観情報Ｄを抽出し、その外観情報Ｄの中から判定ポイントＰに対応したパターンを抽出し、そのパターンと判定情報を比較して撮像したゴム栓２が良品であるか否かを判定する。
【００５６】
良品と判定した場合、ゴム栓２は吸引部６０によって搬送部３０から吸引しては良品収容容器６２に収容する。一方、不良品と判定した場合、そのゴム栓２を搬送部３０から落下させて回収部９０の回収ボックス９１に回収すると共に、表示部７０に不合格の結果画面情報を表示する。その結果、利用者はその不合格の結果画面情報に基づいて、ゴム栓２のショート・ショット、バリ、二度打ち等の不良事例を確認することができる。
【００５７】
以上説明した外観検査装置１によれば、ゴム栓２が検査エリアＥ内を回転しながら移動するように搬送部３０を設け、その回転移動しているゴム栓２を異なるタイミングで複数回撮像するようにしたことから、それらの撮像情報の中から検査対象物に対して異なる方向から撮像した複数の外観情報Ｄを抽出することができる。そして、それらの外観情報Ｄと判定情報との比較結果に基づいて検査対象物が良品であるか否かを判定するので、外観検査の信頼性を向上させることができる。従って、１つの撮像部４０のみで任意の角度における外観情報Ｄを取得することができるため、コストアップ及び装置の大型化を防止でき且つ自動外観検査の信頼性を向上させることができる。即ち、検査対象物の出荷検査のみで品質の保証ができるため、前段階での検査を省略でき且つ検査滞留在庫を無くすことができる。そして、ゴム栓２の成型機側での製品取り出しによる作り込み不良を検出することもできる。
【００５８】
また、搬送部３０の検査エリアＥに対応する第１スクリュー３１ｃの表面における光の反射率が低くなるように形成したことから、検査エリアＥが外光、照明光等の影響を受けることが防止できるため、高画質の撮像情報に基づいて外観検査を行うができる。従って、自動外観検査の信頼性をより一層向上させることができる。
【００５９】
さらに、収容部２０に収容している複数のゴム栓２を間歇的に検査エリアＥ内を回転させながら移動させるようにしたことから、撮像部４０によって撮像した撮像情報の中から正確に外観情報Ｄを抽出することができるため、外観検査の信頼性をより一層向上させることができる。
【００６０】
また、良品と判定したゴム栓２を搬送部３０から回収部６０によって吸引により回収するようにしたことから、回収は良品判定時にのみ行われることになり、停電や故障時に不良品が良品収容容器６２内に混入することを確実に防止することができる。
【００６１】
なお、上述した本最良の形態では、搬送部３０によって請求項中の回転移動手段を実現する場合について説明したが、本発明はこれに限定するものではなく、傾斜面で回転させながら移動させるなど種々異なる実施形態とすることができる。
【００６２】
また、上述した本最良の形態では、検査エリアＥにゴム栓２が進入したことを進入検出部５０で検出すると、撮像部が異なるタイミングで複数回撮像する場合について説明したが、本発明はこれに限定するものではなく、収容部２０の供給タイミングに同期するように時間で定期的に撮像する実施形態とすれば、進入検出部５０を用いる必要はない。
【００６３】
さらに、上述した本最良の形態では、豆粒状のゴム栓２を検査対象物とした場合について説明したが、本発明はこれに限定するものではなく、螺子やナットなどの略円柱状で回転することが可能なものを検査対象物とすることができる。
【００６４】
このように上述した実施例は本発明の代表的な形態を示したに過ぎず、本発明は、実施形態に限定されるものではない。即ち、本発明の骨子を逸脱しない範囲で種々変形して実施することができる。
【図面の簡単な説明】
【００６５】
【図１】本発明に係る外観検査装置の基本構成を示す構成図である。
【図２】本発明の外観検査装置の概略構成を示す構成図である。
【図３】本発明の外観検査装置の正面を示す正面図である。
【図４】本発明の外観検査装置の側面を示す側面図である。
【図５】搬送部が有する一対のスクリュー部材を説明するための図であり、（ａ）は検査エリアに位置する第１スクリューを示す斜視図、（ｂ）は一対のスクリュー部材の関係を示す模式図となっている。
【図６】スクリュー部材の外観を示す一部断面側面図である。
【図７】図２のＣＰＵが実行する外観検査処理の一例を示すフローチャートである。
【図８】本発明に係る外観情報を説明するための図である。
【符号の説明】
【００６６】
１    外観検査装置
１０    制御部
１１ａ    外観情報抽出手段（ＣＰＵ）
１１ｂ    良品判定手段（ＣＰＵ）
２０    収容手段（収容部）
３０    回転移動手段（搬送部）
４０    撮像手段（撮像部）
６０    吸引部
７０    表示部
８０    照明部
９０    回収部
【図１】
2008122080.tif 000003
【図２】
2008122080.tif 000004
【図３】
2008122080.tif 000005
【図４】
2008122080.tif 000006
【図５】
2008122080.tif 000007
【図６】
2008122080.tif 000008
【図７】
2008122080.tif 000009
【図８】
2008122080.tif 000010